(57)【要約】【課題】        本発明は、偽造防止、改ざん、複製防止が必要とされる貴重品に適用する奥行き感のある潜像画像が透過光で視認される真偽判別形成体に関するものである。【解決手段】    不透明基材の一方の面（１ａ）に第１の孔群（２ａ）と、第１の孔群が形成された領域の不透明基材の他方の面（１ｂ）に第２の孔群（２ｂ）を設け、第１の孔群（２ａ）と第２の孔群（２ｂ）に規則性を持たせることにより、真偽判別形成体を透過光で観察した場合に不透明基材の他方の面（１ｂ）に形成した第２の孔の形状が奥行き感を有して拡大して視認される。【選択図】      図３
2005225057.tif 000002
【特許請求の範囲】
【請求項１】
透過光で観察すると像が視認される画像形成体において、
不透明基材に第１の孔群と第２の孔群が設けられ、
前記第１の孔群は前記不透明基材を貫通する孔からなり、前記第２の孔群は前記不透明基材を貫通しない孔からなり、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項２】
透過光で観察すると像が視認される画像形成体において、
厚さｃを有する不透明基材に第１の孔群と第２の孔群が設けられ、
前記第１の孔群は前記不透明基材を貫通しない深さａの孔からなり、前記第２の孔群は前記不透明基材を貫通しない深さｂの孔からなり、
前記不透明基材の厚さｃ、前記第１の孔群を形成する孔の深さａ及び前記第２の孔群を形成する孔の深さｂの関係が、
ａ＜ｃ、∩、ｂ＜ｃ、∩、ａ＋ｂ≧ｃの式が成立し、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項３】
透過光で観察すると像が視認される画像形成体において、
不透明基材に第１の孔群と第２の孔群が設けられ、
前記第１の孔群は前記不透明基材を貫通する孔からなり、前記第２の孔群は前記不透明基材を貫通しない孔からなり、
前記第１の孔群を形成する孔は、第１の方向に第１の間隔で配列され、かつ、第２の方向に前記第１の間隔と同一又は前記第１の間隔と異なる第２の間隔で配列されることにより格子状に形成され、
前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、
前記第１の間隔、前記第２の間隔、前記第３の間隔及び前記第４の間隔の関係が、
第１の間隔≠第３の間隔×ｎ、∩、第２の間隔≠第４の間隔×ｎ  （ｎは正の整数）、及び、
第３の間隔≠第１の間隔×ｎ、∩、第４の間隔≠第２の間隔×ｎ  （ｎは正の整数）、
の式が成立し、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項４】
透過光で観察すると像が視認される画像形成体において、
厚さｃを有する不透明基材に第１の孔群と第２の孔群が設けられ、
前記第１の孔群は前記不透明基材を貫通しない深さａの孔からなり、前記第２の孔群は前記不透明基材を貫通しない深さｂの孔からなり、
前記不透明基材の厚さｃ、前記第１の孔群を形成する孔の深さａ及び前記第２の孔群を形成する孔の深さｂの関係が、
ａ＜ｃ、∩、ｂ＜ｃ、∩、ａ＋ｂ≧ｃの式が成立し、
前記第１の孔群を形成する孔は、第１の方向に第１の間隔で配列され、かつ、第２の方向に前記第１の間隔と同一又は前記第１の間隔と異なる第２の間隔で配列されることにより格子状に形成され、
前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、
前記第１の間隔、前記第２の間隔、前記第３の間隔及び前記第４の間隔の関係が、
第１の間隔≠第３の間隔×ｎ、∩、第２の間隔≠第４の間隔×ｎ  （ｎは正の整数）、及び、
第３の間隔≠第１の間隔×ｎ、∩、第４の間隔≠第２の間隔×ｎ  （ｎは正の整数）、
の式が成立し、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項５】
反射光又は透過光で観察すると像が視認される画像形成体において、
不透明層及び透明層を有する基材に、
前記不透明層に第１の孔群と、前記透明層に第２の孔群が設けられ、
前記第１の孔群は前記不透明層を貫通する孔からなり、前記第２の孔群は前記基材を貫通することなく前記透明層を貫通する孔又は前記透明層を貫通しない孔からなり、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項６】
反射光又は透過光で観察すると像が視認される画像形成体において、
不透明層及び透明層を有する基材に、
前記不透明層に第１の孔群と、前記透明層に第２の孔群が設けられ、
前記第１の孔群は前記不透明層を貫通する孔からなり、前記第２の孔群は前記基材を貫通することなく前記透明層を貫通する孔又は前記透明層を貫通しない孔からなり、
前記第１の孔群を形成する孔は、第１の方向に第１の間隔で配列され、かつ、第２の方向に前記第１の間隔と同一又は前記第１の間隔と異なる第２の間隔で配列されることにより格子状に形成され、
前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、
前記第１の間隔、前記第２の間隔、前記第３の間隔及び前記第４の間隔の関係が、
第１の間隔≠第３の間隔×ｎ、∩、第２の間隔≠第４の間隔×ｎ  （ｎは正の整数）、及び、
第３の間隔≠第１の間隔×ｎ、∩、第４の間隔≠第２の間隔×ｎ  （ｎは正の整数）、
の式が成立し、
前記第１の孔群の個々の孔と前記第２の孔群の個々の孔は互いに少なくとも一部が重なり合って一組の孔とされて配置され、
前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体。
【請求項７】
前記第１の孔群の第１の方向と前記第１の孔群の第２の方向の関係、及び前記第２の孔群の第３の方向と前記第２の孔群の第４の方向の関係が、直交又は所定の角度で構成されることを特徴とする請求項１乃至６のいずれか記載の画像形成体。
【請求項８】
前記第１の孔群を形成する孔の径と前記第２の孔群を形成する孔の径が５０μｍ〜１０００μｍであることを特徴とする請求項１乃至７のいずれか記載の画像形成体。
【請求項９】
前記第１の孔群を形成する孔の径と前記第２の孔群を形成する孔の形状が円形、楕円、多角形及びそれらの組合せの少なくとも一つであることを特徴とする請求項１乃至８のいずれか記載の画像形成体。
【発明の詳細な説明】
【技術分野】
【０００１】
本発明は、銀行券、パスポート、有価証券、カード、印紙類、ＣＤ、商品タグ等の偽造防止、改ざん、複製防止が必要とされる貴重品に適用する反射光又は透過光で観察すると像が視認される画像形成体に関するものである。
【背景技術】
【０００２】
銀行券、パスポート、有価証券、カード、印紙類、ＣＤ、商品タグ等の偽造防止、改ざん、複製防止が必要とされる貴重品は、その性質上、偽造、変造されにくいことが要求される。この防止策として、これらの貴重品の基材に、複数の穿孔で数字等を形成することは知られている。また、複数の穿孔を有する基材を傾けて観察することにより潜像画像を視認できるようにして真偽判別を行う技術も知られている。
【０００３】
前者は、スイスの銀行券に用いられており、数字を穿孔によって表現している。また、孔の直径は、反射状態においては裸眼でそれらのなすパターンが見えない点に特徴を有する、安全マークが、透過状態においては見える文書面のパターンを形成する複数個の孔からなる、偽造を防止するための安全マークを備える安全保管文書が開示されている（特許文献１）。
【特許文献１】特表２０００−５０１０３６号公報（第２頁、第１−２図）
【０００４】
後者は、基材を有し、該基材に形成され、背景部と特定のパターンから成る情報部とを形成する目視しにくい多数の微細な穿孔を有する真偽判別形成体であって、上記背景部を形成する穿孔と上記情報部を形成する穿孔とは、穿孔の形状、寸法及び配列方向の少なくとも一つ以上が異なるように形成されていることを特徴とする真偽判別形成体が開示されている（特許文献２参照）。
【特許文献２】特開２０００−２３３５６１号公報（第２頁、第１−２図）
【０００５】
また、特定のパターンで配列されて情報を付与する多数の微細穿孔が形成されたカード基材を有する微細穿孔カードであって、上記微細穿孔は、レーザ加工機により、上記カード基材に対して特定の傾斜角度で貫通して形成された穿孔であり、上記微細穿孔カードの一面側から光を上記微細穿孔カードに対して上記特定の傾斜角度と同じ角度で投光して、上記微細な穿孔を透過させることにより、上記情報がチェックされる構成であることを特徴とする微細穿孔カードが開示されている（特許文献３）。
【特許文献３】特開２００２−１６０４７７号公報（第２頁、第１図）
【０００６】
奥行き感のある潜像画像を形成する技術としてレンチキュラーレンズを用いた技術が挙げられる。
【０００７】
レンチキュラーレンズを利用するもの、例えば、レンチキュラーレンズを用いて、観察角度を変えることにより当月、翌月のカレンダー表示を選択的に視認可能なカレンダーとして開示されている（特許文献４）。
【特許文献４】実開昭５１−６７０４３号公報（第２頁）
【発明の開示】
【発明が解決しようとする課題】
【０００８】
上記の従来技術は総じて、基材に穿孔によって数字等を形成するものや、基材に一部の穿孔の形状を異ならせて、透過光で傾けて観察した場合に潜像画像が視認されるものであった。特表２０００−５０１０３６号公報は、穿孔によって数字等を形成しているだけであって、偽造防止技術としては単純で改良の余地があった。また、特開２０００−２３３５６１号公報は、情報部と背景部を組み合わせることで、穿孔群の中に情報部を隠し入れる構成であるため、基材を透過光で傾けて観察したときに潜像画像が出現されるもので、偽造防止技術としては単純で改良の余地があった。また、特開２００２−１６０４７７号公報は、基材に複数の穿孔からなる穿孔群を設け、穿孔群の一部の穿孔を基材に対して斜めに開けて潜像画像を構成し、基材を透過光で観察することにより潜像画像を視認できるものであり、レーザを垂直に照射し、かつ、基材を水平方向に自動搬送するような大量生産ラインを構成することは容易であるが、基材に斜め穿孔を形成することは、加工機の構成が複雑となり、作成上困難であった。上記記載の穿孔を用いた偽造防止技術は、いずれも本物か否かの判別を行なった場合にインパクトが少なく、より容易に本物か否かの判別ができる偽造防止技術が望まれている。インパクトのある真偽判別技術としてレンチキュラーレンズを用いた技術が挙げられる。しかしながら、レンチキュラーレンズはコストが高く、レンチキュラーレンズ自体に厚みがあり、製品自体に厚みが生じるため、薄い貴重品には不向きであり、更に、レンチキュラーレンズは凹凸形状を有するため、変形しやすく、破損する恐れがあった。
【０００９】
以上のことから、本発明は前述した問題点を解決することを目的としたもので、レンチキュラーレンズを用いることなく、基材自体に厚みを設けなくとも、反射光又は透過光で観察するとインパクトのある奥行き感のある像が視認される技術を見出した。
【００１０】
本発明は、不透明基材の一方の面に第１の孔群と、第１の孔群が形成された領域の不透明基材の他方の面に第２の孔群を設け、第１の孔群と第２の孔群に規則性を持たせることにより、透過光で観察した場合に不透明基材の他方の面に形成した第２の孔の形状が奥行き感を有して拡大して視認されることを見出した。よって、本発明は真偽判別効果の高い、改ざん、複製防止効果のある画像形成体を提案するものである。
【００１１】
また、本発明は、不透明層及び透明層を有する基材に、不透明層の表面に第１の孔群と、透明層の表面に第２の孔群が設け、第１の孔群は不透明層を貫通する孔からなり、第２の孔群は前記基材を貫通することなく透明層を貫通する孔又は透明層を貫通しない孔からなり、第１の孔群と第２の孔群に規則性を持たせることにより、反射光又は透過光で観察した場合に第２の孔の形状がより奥行き感を有して拡大して視認されることを見出した。よって、本発明は真偽判別効果の高い、改ざん、複製防止効果のある画像形成体を提案するものである。
【課題を解決するための手段】
【００１２】
本発明は、透過光で観察すると像が視認される画像形成体において、不透明基材に第１の孔群と第２の孔群が設けられ、前記第１の孔群は前記不透明基材を貫通する孔からなり、前記第２の孔群は前記不透明基材を貫通しない孔からなり、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１３】
また、本発明は、透過光で観察すると像が視認される画像形成体において、厚さｃを有する不透明基材に第１の孔群と第２の孔群が設けられ、前記第１の孔群は前記不透明基材を貫通しない深さａの孔からなり、前記第２の孔群は前記不透明基材を貫通しない深さｂの孔からなり、前記不透明基材の厚さｃ、前記第１の孔群を形成する孔の深さａ及び前記第２の孔群を形成する孔の深さｂの関係が、ａ＜ｃ、∩、ｂ＜ｃ、∩、ａ＋ｂ≧ｃの式が成立し、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１４】
また、本発明は、透過光で観察すると像が視認される画像形成体において、不透明基材に第１の孔群と第２の孔群が設けられ、前記第１の孔群は前記不透明基材を貫通する孔からなり、前記第２の孔群は前記不透明基材を貫通しない孔からなり、前記第１の孔群を形成する孔は、第１の方向に第１の間隔で配列され、かつ、第２の方向に前記第１の間隔と同一又は前記第１の間隔と異なる第２の間隔で配列されることにより格子状に形成され、前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、前記第１の間隔、前記第２の間隔、前記第３の間隔及び前記第４の間隔の関係が、第１の間隔≠第３の間隔×ｎ、∩、第２の間隔≠第４の間隔×ｎ（ｎは正の整数）、及び、第３の間隔≠第１の間隔×ｎ、∩、第４の間隔≠第２の間隔×ｎ（ｎは正の整数）、の式が成立し、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１５】
また、本発明は、透過光で観察すると像が視認される画像形成体において、厚さｃを有する不透明基材に第１の孔群と第２の孔群が設けられ、前記第１の孔群は前記不透明基材を貫通しない深さａの孔からなり、前記第２の孔群は前記不透明基材を貫通しない深さｂの孔からなり、前記不透明基材の厚さｃ、前記第１の孔群を形成する孔の深さａ及び前記第２の孔群を形成する孔の深さｂの関係が、ａ＜ｃ、∩、ｂ＜ｃ、∩、ａ＋ｂ≧ｃの式が成立し、前記第１の孔群を形成する孔は、第１の方向に第１の間隔で配列され、かつ、第２の方向に前記第１の間隔と同一又は前記第１の間隔と異なる第２の間隔で配列されることにより格子状に形成され、前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、前記第１の間隔、前記第２の間隔、前記第３の間隔及び前記第４の間隔の関係が、第１の間隔≠第３の間隔×ｎ、∩、第２の間隔≠第４の間隔×ｎ（ｎは正の整数）及び第３の間隔≠第１の間隔×ｎ、∩、第４の間隔≠第２の間隔×ｎ（ｎは正の整数）の式が成立し、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１６】
また、本発明は、反射光又は透過光で観察すると像が視認される画像形成体において、不透明層及び透明層を有する基材に、前記不透明層に第１の孔群と、前記透明層に第２の孔群が設けられ、前記第１の孔群は前記不透明層を貫通する孔からなり、前記第２の孔群は前記基材を貫通することなく前記透明層を貫通する孔又は前記透明層を貫通しない孔からなり、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１７】
また、本発明は、反射光又は透過光で観察すると像が視認される画像形成体において、不透明層及び透明層を有する基材に、前記不透明層に第１の孔群と、前記透明層に第２の孔群が設けられ、前記第１の孔群は前記不透明層を貫通する孔からなり、前記第２の孔群は前記基材を貫通することなく前記透明層を貫通する孔又は前記透明層を貫通しない孔からなり、前記第１の孔群を形成する孔は、第１の方向に第１の間隔で配列され、かつ、第２の方向に前記第１の間隔と同一又は前記第１の間隔と異なる第２の間隔で配列されることにより格子状に形成され、前記第２の孔群を形成する孔は、前記第１の孔群の前記第１の方向と同一方向に第３の間隔で配列され、かつ、前記第１の孔群の前記第２の方向と同一方向に前記第３の間隔と同一又は前記第３の間隔と異なる第４の間隔で配列されることにより格子状に形成され、前記第１の間隔、前記第２の間隔、前記第３の間隔及び前記第４の間隔の関係が、第１の間隔≠第３の間隔×ｎ、∩、第２の間隔≠第４の間隔×ｎ（ｎは正の整数）及び第３の間隔≠第１の間隔×ｎ、∩、第４の間隔≠第２の間隔×ｎ（ｎは正の整数）の式が成立し、前記第１の孔群の個々の孔と前記第２の孔群の個々の孔は互いに少なくとも一部が重なり合って一組の孔とされて配置され、前記第１の孔群の孔の中心と前記第２の孔群の孔の中心が一致又は中心が最も近接している一組の孔を基準として、前記重なり合って配置される各々の孔は、前記基準から離れるに従い、前記第１の孔群の孔の中心と前記第２の孔群の孔の中心が徐々に離れて構成される画像形成体である。
【００１８】
また、本発明は、前記第１の孔群の第１の方向と前記第１の孔群の第２の方向の関係及び前記第２の孔群の第３の方向と前記第２の孔群の第４の方向の関係が、直交又は所定の角度で構成されることを特徴とする画像形成体である。
【００１９】
また、本発明は、前記第１の孔群を形成する孔の径と前記第２の孔群を形成する孔の径が５０μｍ〜１０００μｍであることを特徴とする画像形成体である。
【００２０】
また、本発明は、前記第１の孔群を形成する孔の径と前記第２の孔群を形成する孔の形状が円形、楕円、多角形及びそれらの組合せの少なくとも一つであることを特徴とする画像形成体である。
【発明の効果】
【００２１】
本発明は、不透明基材の一方の面に第１の孔群と、第１の孔群が形成された領域の不透明基材の他方の面に第２の孔群を設け、第１の孔群と第２の孔群に規則性を持たせることにより、透過光で観察した場合に不透明基材の他方の面に形成した第２の孔の形状が奥行き感を有して拡大して視認される。よって、容易に本物か否かの真偽判別が可能となり、更に微細な孔によって形成するため、容易に複製されないことから銀行券、パスポート、有価証券、カード、印紙類、ＣＤ、商品タグ等の偽造防止、改ざん、複製防止が必要とされる貴重品に適用することができる。
【００２２】
また、不透明層及び透明層を有する基材に、不透明層の表面に第１の孔群と、透明層の表面に第２の孔群が設け、第１の孔群は不透明層を貫通する孔からなり、第２の孔群は前記基材を貫通することなく透明層を貫通する孔又は透明層を貫通しない孔からなり、第１の孔群と第２の孔群に規則性を持たせることにより、反射光又は透過光で観察した場合に第２の孔の形状がより奥行き感を有して拡大して視認される。よって、容易に本物か否かの真偽判別が可能となり、更に微細な孔によって形成するため、容易に複製されないことから銀行券、パスポート、有価証券、カード、印紙類、ＣＤ、商品タグ等の偽造防止、改ざん、複製防止が必要とされる貴重品に適用することができる。
【００２３】
本発明は、レーザを垂直に照射し、かつ、基材を水平方向に自動搬送するような大量生産ラインを構成する装置でも作成でき、基材に斜め孔を形成しなくても像が形成できるため、複雑な加工機を用いることなく作成できる。
【発明を実施するための最良の形態】
【００２４】
本発明に係る画像形成体の発明を実施するための最良の形態を基づいて図面を参照して説明する。本発明は、発明を実施するための最良の形態に限定されるものではなく、特許請求の範囲記載における技術的思想の範囲内であれば、その他のいろいろな実施の形態が考えられる。
【００２５】
図１は不透明基材の一方の面（１ａ）に第１の孔群（２ａ）を示す図及びそのＡ−Ａ’断面図を示す図である。第１の孔群（２ａ）は第１の方向（ｘ１）及び第２の方向（ｙ１）に配列され、格子状に形成されている。第１の孔群（２ａ）の第１の方向（ｘ１）に配列される孔（３ｘ１）の間隔（ｓ１）は一定の間隔で配列されている。第１の孔群（２ａ）の第２の方向（ｙ１）に配列される孔（３ｙ１）の間隔（ｓ２）は一定の間隔で配列されている。間隔（ｓ１）と間隔（ｓ２）は同一の間隔となっている。孔（３ａ）は不透明基材（１）を貫通している必要がある。
【００２６】
図２は不透明基材の他方の面（１ｂ）に第２の孔群（２ｂ）を示す図及びそのＡ−Ａ’断面図を示す図である。第２の孔群（２ｂ）は第１の方向（ｘ２）及び第２の方向（ｙ２）に配列されている。第２の孔群（２ｂ）の第１の方向（ｘ２）に配列される孔（３ｘ２）の間隔（ｓ３）は一定の間隔で配列されている。第２の孔群（２ｂ）の第２の方向（ｙ２）に配列される孔（３ｙ２）の間隔（ｓ４）は一定の間隔で配列されている。間隔（ｓ３）と間隔（ｓ４）は同一の間隔となっている。孔（３ｂ）は不透明基材（１）を凹状に形成する必要がある。つまり、孔（３ｂ）は不透明基材（１）を貫通しない非貫通孔となる。
【００２７】
図３に本発明の画像形成体（４ａ）を示す図及びそのＡ−Ａ’断面図を示す。不透明基材の一方の面（１ａ）に図１に示した第１の孔群（２ａ）を形成し、第１の孔群（２ａ）が形成された領域の不透明基材の他方の面（１ｂ）に図２に示した第２の孔群（２ｂ）を形成する。第１の孔群（２ａ）の第１の方向（ｘ１）に配列される第１の孔（３ｘ１）と第２の孔群（２ｂ）の第１の方向（ｘ２）に配列される第２の孔（３ｘ２）は同一方向に配列する必要がある。また、第１の孔群（２ａ）の第２の方向（ｙ１）に配列される第１の孔（３ｙ１）と第２の孔群（２ｂ）の第２の方向（ｙ２）に配列される第２の孔（３ｙ２）は同一方向に配列する必要がある。この場合、間隔（ｓ１）と間隔（ｓ３）が整数倍の関係にならないようにする必要がある。また、間隔（ｓ２）と間隔（ｓ４）が整数倍の関係にならないようにする必要がある。下記に条件式を数式１に示す。
【００２８】
【数１】
2005225057.tif 000003
【００２９】
つまり、第２の孔群の第１の方向に配列される孔の間隔が第１の孔群の第１の方向に配列される孔の間隔の１以上の非整数を乗ずる、あるいは第２の孔群の第１の方向に配列される孔の間隔が第１の孔群の第１の方向に配列される孔の間隔の１以上の非整数を除することにより構成し、かつ、第２の孔群の第２の方向に配列される孔の間隔が第１の孔群の第２の方向に配列される孔の間隔の１以上の非整数を乗ずる、あるいは第２の孔群の第２の方向に配列される孔の間隔が第１の孔群の第２の方向に配列される孔の間隔の１以上の非整数を除することにより構成する必要がある。
【００３０】
このような条件にすることによって、不透明基材の一方の面（１ａ）に形成する第１の方向（ｘ１）に形成する第１の孔（３ａ）と不透明基材の他方の面（１ｂ）に形成する第１の方向（ｘ２）に形成する第２の孔（３ｂ）にずれが生じる。同様に、不透明基材の一方の面（１ａ）に形成する第２の方向（ｙ１）に形成する第１の孔（３ａ）と不透明基材の他方の面（１ｂ）に形成する第２の方向（ｙ２）に形成する第２の孔（３ｂ）にずれが生じる。よって、第１の孔群（２ａ）の個々の孔（３ａ）と第２の孔群（２ｂ）の個々の孔（３ｂ）は徐々にずれて重なっている。実際は、孔（３ａ、３ｂ）で形成しているため、徐々にずれて合成されている。
【００３１】
図３に示す間隔（ｓ１）と間隔（ｓ２）は同一の間隔となっているが、間隔（ｓ１）と間隔（ｓ２）の間隔を異ならせても良い。同様に、図３に示す間隔（ｓ３）と間隔（ｓ４）は同一の間隔となっているが、間隔（ｓ３）と間隔（ｓ４）の間隔を異ならせても良い。図３に示す間隔（ｓ１）は、間隔（ｓ３）より間隔幅が広いが、間隔（ｓ１）は、間隔（ｓ３）より間隔幅を狭くしても良い。同様に、図３に示す間隔（ｓ２）は、間隔（ｓ４）より間隔幅が広いが、間隔（ｓ２）は、間隔（ｓ４）より間隔幅を狭くしても良い。また、第１の孔（３ａ）の径は第２の孔（３ｂ）の径より、大きくても、小さくても良いが、好ましくは、第１の孔（３ａ）の径は、第２の孔（３ｂ）の径より小さい方が好ましい。ただし、上記数式１の条件が必要となる。また、図３に示す孔（３ａ）の形状は、円形であり、図３に示す孔（３ｂ）の形状は、ハートであるが、本発明は、この形状に限定することなく、孔（３ａ）及び孔（３ｂ）の形状は、円形、楕円、多角形、図柄、キャラクターマーク、エンブレム、特殊形状等及びそれらの組合せの少なくとも一つにより形成することができる。
【００３２】
第１の孔及び第２の孔はレーザ加工機等で付与でき、第１の孔及び第２の孔の径は、５０μｍ〜１０００μｍであることが好ましい。また、第１の孔及び第２の孔の径は、間隔幅よりも小さいことが好ましい。更に好ましくは第１の孔及び第２の孔の径は５０〜５００ミクロンが好ましい。第１の孔及び第２の孔の径が５０μｍより小さいと孔を作成する上で困難となる。また、第１の孔及び第２の孔の径が１０００μｍより大きな径を用いる場合は、本発明の画像形成体の効果を損ねるか、基材の厚みを厚いものにしなければならなくなり、銀行券、パスポート、有価証券、カード、印紙類、ＣＤ、商品タグ等の偽造防止、改ざん、複製防止が必要とされる貴重品には不向きとなる。
【００３３】
本発明に用いる不透明基材は、無色透明フィルム以外の基材であれば、有色フィルム、紙、金属等で作成することが可能であり特に限定されるものではない。また、不透明基材を積層したカード等の基材を用いても良い。積層された基材を用いる場合、少なくとも一層の中間層を設けても良い。少なくとも一層の中間層を設けた画像形成体は透過光で観察した場合に潜像画像が、より奥行き感を有して視認される。この場合、中間層は光透過性基材を設ける必要がある。また、中間層は光を透過する基材であれば、色彩を有するもの、紫外線等のエネルギー線を照射して発光するものを用いることによって真偽判別効果、偽造防止効果が向上する。また、基材の厚さについても特に限定されることはないが、０．１２ｍｍから３．０ｍｍ程度が好ましい。本発明の画像形成体の基材を厚いものにすればするほど、透過光で観察した場合により奥行き感が出てくる。
【００３４】
図３に示す画像形成体（４ａ）を第１の孔群（２ａ）を形成した面から反射光で観察した場合の図を図４（ａ）に示し、第２の孔群（２ｂ）を形成した面から反射光で観察した場合の図を図４（ｂ）に示す。図４（ａ）に示すように、第１の孔群（２ａ）を形成した面から反射光で観察した場合、第２の孔群（２ｂ）は非貫通孔であるため視認できず、また、第１の孔群（２ａ）の個々の孔（３ａ）は微細であることから視認しにくい状況にある。図４（ｂ）に示すように、第２の孔群（２ｂ）を形成した面から反射光で観察した場合、第１の孔群（２ａ）の個々の孔（３ａ）及び第２の孔群（２ｂ）の個々の孔（３ｂ）は微細であることから視認しにくい状況にある。
【００３５】
図３に示す画像形成体（４ａ）を第１の孔群（２ａ）を形成した面から透過光で観察した場合の図を図５に示し、第２の孔群（２ｂ）を形成した面から透過光で観察した場合の図を図６に示す。図５に示すように、第１の孔群（２ａ）を形成した面から透過光で観察した場合、第１の孔群（２ａ）と第２の孔群（２ｂ）は徐々にずれているため、例えば、第１の孔群のある孔と第２の孔群のある孔がほぼ重なり合っている領域、一部が重なり合っている領域、場合によっては重なり合っていない領域等に分かれ、第１の孔（３ａ）と第２の孔（３ｂ）が重なり合い合成された領域は透過光量が多く、第１の孔（３ａ）と第２の孔（３ｂ）が重ならない領域は透過光量が少なく視認されるため、透過光量の多い領域で合成された第２の孔（３ｂ）の形状（ハート形状）が第１の孔群（２ａ）から拡大して立体的に視認される。この場合、不透明基材よりも奥まって拡大して視認される。
【００３６】
図６に示すように、第２の孔群（２ｂ）を形成した面から透過光で観察した場合、第１の孔群（２ａ）と第２の孔群（２ｂ）は徐々にずれているため、例えば、第１の孔群のある孔と第２の孔群のある孔がほぼ重なり合っている領域、一部が重なり合っている領域、場合によっては重なり合っていない領域等に分かれ、第１の孔（３ａ）と第２の孔（３ｂ）が重なり合い合成された領域は透過光量が多く、第１の孔（３ａ）と第２の孔（３ｂ）が重ならない領域は透過光量が少なく視認されるため、透過光量の多い領域で合成された第２の孔（３ｂ）の形状（ハート形状）が第１の孔群（２ａ）から拡大して立体的に視認される。この場合、不透明基材よりも手前に拡大して視認される。
【００３７】
図５及び図６は、第１の孔（３ａ）の間隔は第２の孔（３ｂ）の間隔よりも広いが、第１の孔（３ａ）の間隔は第２の孔（３ｂ）の間隔よりも狭い場合は、基材の一方の面（１ａ）から透過光で観察した場合には、第２の孔（３ｂ）の形状（ハート形状）が第１の孔群（２ａ）から拡大して不透明基材よりも手前に立体的に視認される。基材の他方の面（１ｂ）から透過光で観察した場合には、第２の孔（３ｂ）の形状（ハート形状）が第１の孔群（２ａ）から拡大して不透明基材よりも奥まって立体的に視認される。この場合、画像形成体（４ａ）を傾けて透過光で観察した方が潜像がより視認しやすくなる。
【００３８】
第１の孔（３ａ）の間隔（ｓ１）と第２の孔（３ｂ）の間隔（ｓ３）の違いと、第１の孔（３ａ）の間隔（ｓ２）と第２の孔（３ｂ）の間隔（ｓ４）の違いは、上記記載の第２の孔（３ｂ）が拡大される拡大率に繋がる。拡大率を数式２に示す。
【００３９】
【数２】
2005225057.tif 000004
【００４０】
間隔（ｓ１）は第１の孔群（２ａ）を形成する第１の方向（ｘ１）の間隔であり、間隔（ｓ３）は第２の孔群（２ｂ）を形成する第１の方向（ｘ２）の間隔である。間隔（ｓ３）を間隔（ｓ３）と間隔（ｓ１）の差の絶対値で割った値が、第２の孔（３ｂ）が潜像画像として現れる第１の方向の拡大率となる。間隔（ｓ２）は第１の孔群（２ａ）を形成する第２の方向（ｙ１）の間隔であり、間隔（ｓ４）は第２の孔群（２ｂ）を形成する第２の方向（ｙ２）の間隔である。間隔（ｓ４）を間隔（ｓ４）と間隔（ｓ２）の差の絶対値で割った値が、第２の孔（３ｂ）が潜像画像として現れる第２の方向の拡大率となる。よって、本発明の画像形成体を透過光で観察した場合にどの程度の拡大されて視認されれば良いかは適宜、上記記載の数式２に当てはめれば良い。
【００４１】
画像形成体（４ａ）は不透明基材の一方の面に基材を貫通する第１の孔群（２ａ）を形成し、不透明基材の他方の面に基材を貫通しない第２の孔群（２ｂ）を形成しているが、図２０（ｃ）に示すように、不透明基材の一方の面に基材を貫通しない第１の孔群（２ａ）を形成し、不透明基材の他方の面に基材を貫通しない第２の孔群（２ｂ）を形成しても良い。この場合、第１の孔群と第２の孔群が重なっているところは第１の孔と第２の孔が合成され、不透明基材を貫通する必要がある。つまり、第１の孔の深さｄ１と第２の孔の深さｄ２を足した値が、不透明基材の厚さｄとなっていれば良い。
【００４２】
図７は基材（１）の一方の面（１ａ）に不透明層（５）を有し、基材の他方の面（１ｂ）に透明層（６）を有する基材（１）に、不透明層（５）を有する一方の面（１ａ）に第１の孔群（２ａ）を示す図及びそのＡ−Ａ’断面図を示す図である。第１の孔群（２ａ）は第１の方向（ｘ１）及び第２の方向（ｙ１）に配列され、格子状に形成される。第１の孔群（２ａ）の第１の方向（ｘ１）に配列される孔（３ｘ１）の間隔（ｓ１）は一定の間隔で配列されている。第１の孔群（２ａ）の第２の方向（ｙ１）に配列される孔（３ｙ１）の間隔（ｓ２）は一定の間隔で配列されている。間隔（ｓ１）と間隔（ｓ２）は同一の間隔となっている。孔（３ａ）は少なくとも不透明層（５）を貫通している必要がある。つまり、孔（３ａ）は、不透明層（５）を貫通していれば、基材（１）を貫通しても良い。
【００４３】
図８は基材（１）の一方の面（１ａ）に不透明層（５）を有し、基材の他方の面（１ｂ）に透明層（６）を有する基材（１）に、透明層（６）を有する他方の面（１ｂ）に第２の孔群（２ｂ）を示す図及びそのＡ−Ａ’断面図を示す図である。第２の孔群（２ｂ）は第１の方向（ｘ２）及び第２の方向（ｙ２）に配列され、格子状に形成されている。第２の孔群（２ｂ）の第１の方向（ｘ２）に配列される孔（３ｘ２）の間隔（ｓ３）は一定の間隔で配列されている。第２の孔群（２ｂ）の第２の方向（ｙ２）に配列される孔（３ｙ２）の間隔（ｓ４）は一定の間隔で配列されている。間隔（ｓ３）と間隔（ｓ４）は同一の間隔となっている。孔（３ｂ）は基材（１）を貫通することなく、透明層（６）を貫通又は、透明層（６）を貫通しない凹状に形成する必要がある。つまり、孔（３ｂ）は基材（１）を貫通していなければ、透明層（６）を貫通しても透明層（６）を貫通していなくても良い。図８では透明層（６）を貫通しない非貫通孔で形成されている。
【００４４】
図９に本発明の画像形成体（４ｂ）を示す図及びそのＡ−Ａ’断面図を示す。基材（１）は、一方の面（１ａ）に不透明層（５）を有し、基材の他方の面（１ｂ）に透明層（６）を有する。不透明層（５）を有する基材の一方の面（１ａ）に図７に示した第１の孔群（２ａ）を形成し、第１の孔群（２ａ）が形成された領域の透明層（６）を有する基材の他方の面（１ｂ）に図８に示した第２の孔群（２ｂ）を形成する。第１の孔群（２ａ）の第１の方向（ｘ１）に配列される第１の孔（３ｘ１）と第２の孔群（２ｂ）の第１の方向（ｘ２）に配列される第２の孔（３ｘ２）は同一方向に配列する必要がある。また、第１の孔群（２ａ）の第２の方向（ｙ１）に配列される第１の孔（３ｙ１）と第２の孔群（２ｂ）の第１の方向（ｙ２）に配列される第２の孔（３ｙ２）は同一方向に配列する必要がある。この場合、間隔（ｓ１）と間隔（ｓ３）が整数倍の関係にならないようにする必要がある。また、間隔（ｓ２）と間隔（ｓ４）が整数倍の関係にならないようにする必要がある。条件式は上記に示す数式１である。
【００４５】
つまり、第２の孔群の第１の方向に配列される孔の間隔が第１の孔群の第１の方向に配列される孔の間隔の１以上の非整数を乗ずる、あるいは第２の孔群の第１の方向に配列される孔の間隔が第１の孔群の第１の方向に配列される孔の間隔の１以上の非整数を除することにより構成し、かつ、第２の孔群の第２の方向に配列される孔の間隔が第１の孔群の第２の方向に配列される孔の間隔の１以上の非整数を乗ずる、あるいは第２の孔群の第２の方向に配列される孔の間隔が第１の孔群の第２の方向に配列される孔の間隔の１以上の非整数を除することにより構成する必要がある。
【００４６】
このような条件にすることによって、不透明層（５）を有する基材の一方の面（１ａ）に形成する第１の方向（ｘ１）に形成する第１の孔（３ａ）と透明層（６）を有する基材の他方の面（１ｂ）に形成する第１の方向（ｘ２）に形成する第２の孔（３ｂ）にずれが生じる。同様に、不透明層（５）を有する基材の一方の面（１ａ）に形成する第２の方向（ｙ１）に形成する第１の孔（３ａ）と透明層（６）を有する基材の他方の面（１ｂ）に形成する第２の方向（ｙ２）に形成する第２の孔（３ｂ）にずれが生じる。よって、第１の孔群（２ａ）の個々の孔（３ａ）と第２の孔群（２ｂ）の個々の孔（３ｂ）は徐々にずれて、基材に対して垂直方向から観察した場合に重なっている。図９は孔（３ｂ）が基材（１）を貫通していないため、孔（３ａ）と孔（３ｂ）が重なっている領域では孔（３ａ）と孔（３ｂ）は合成されていないが、孔（３ｂ）が基材（１）を貫通していれば、孔（３ａ）と孔（３ｂ）が重なっている領域では孔（３ａ）と孔（３ｂ）は合成される。
【００４７】
図９に示す間隔（ｓ１）と間隔（ｓ２）は同一の間隔となっているが、間隔（ｓ１）と間隔（ｓ２）の間隔を異ならせても良い。同様に、図９に示す間隔（ｓ３）と間隔（ｓ４）は同一の間隔となっているが、間隔（ｓ３）と間隔（ｓ４）の間隔を異ならせても良い。図９に示す間隔（ｓ１）は、間隔（ｓ３）より間隔幅が広いが、間隔（ｓ１）は、間隔（ｓ３）より間隔幅を狭くしても良い。同様に、図９に示す間隔（ｓ２）は、間隔（ｓ４）より間隔幅が広いが、間隔（ｓ２）は、間隔（ｓ４）より間隔幅を狭くしても良い。また、第１の孔（３ａ）の径は第２の孔（３ｂ）の径より、大きくても、小さくても良いが、好ましくは、第１の孔（３ａ）の径は、第２の孔（３ｂ）の径より小さい方が好ましい。ただし、上記数式１の条件が必要となる。また、図９に示す孔（３ａ）の形状は、円形であり、図９に示す孔（３ｂ）の形状は、ハートであるが、本発明は、この形状に限定することなく、孔（３ａ）及び孔（３ｂ）の形状は、円形、楕円、多角形、図柄、キャラクターマーク、エンブレム、特殊形状等及びそれらの組合せの少なくとも一つにより形成することができる。
【００４８】
第１の孔及び第２の孔はレーザ加工機等で付与でき、第１の孔及び第２の孔の径は、５０μｍ〜１０００μｍであることが好ましい。また、第１の孔及び第２の孔の径は、間隔幅よりも小さいことが好ましい。更に好ましくは第１の孔及び第２の孔の径は５０〜５００ミクロンが好ましい。第１の孔及び第２の孔の径が５０μｍより小さいと孔を作成する上で困難となる。また、第１の孔及び第２の孔の径が１０００μｍより大きな径を用いる場合は、本発明の画像形成体の効果を損ねるか、基材の厚みを厚いものにしなければならなくなり、銀行券、パスポート、有価証券、カード、印紙類、ＣＤ、商品タグ等の偽造防止、改ざん、複製防止が必要とされる貴重品には不向きとなる。
【００４９】
本発明に用いる、一方の面に不透明層を有し、基材の他方の面に透明層を有する基材は、不透明層は無色透明フィルム以外の基材であれば、有色フィルム、紙、金属等の基材を用いることができ、透明層は無色透明フィルム等の基材を用いることができ、不透明層の基材と透明層の基材を積層すればよい。また、透明層に無色透明フィルム等の基材を用い、無色透明フィルム等の基材に不透明層として印刷、アルミ蒸着等を用いても良い。また、プラスッチック基材にアルミ蒸着等されているＣＤ等をそのまま用いても良い。また、基材の厚さについても特に限定されることはないが、０．１２ｍｍから３．０ｍｍ程度が好ましい。本発明の画像形成体の基材を厚いものにすればするほど、透過光で観察した場合により奥行き感が出てくる。積層された基材を用いる場合、少なくとも一層の中間層を設けても良い。少なくとも一層の中間層を設けた画像形成体は透過光で観察した場合に潜像画像が、より奥行き感を有して視認される。この場合、中間層は光透過性基材を設ける必要がある。また、中間層が光を透過する基材であり、色彩を有するもの、紫外線等のエネルギー線を照射して発光するものを用いることによって真偽判別効果、偽造防止効果が向上する。
【００５０】
図９に示す画像形成体（４ｂ）を第１の孔群（２ａ）を形成した面から反射光で観察した場合の図を図１０（ａ）に示し、第２の孔群（２ｂ）を形成した面から反射光で観察した場合の図を図１０（ｂ）に示す。図１０（ａ）に示すように、第１の孔群（２ａ）を形成した面から反射光で観察した場合、第２の孔群（２ｂ）は非貫通孔であるため視認できず、また、第１の孔群（２ａ）の個々の孔（３ａ）は微細であることから視認しにくい状況にある。図１０（ｂ）に示すように、第２の孔群（２ｂ）を形成した面から反射光で観察した場合、第１の孔群（２ａ）の個々の孔（３ａ）及び第２の孔群（２ｂ）の個々の孔（３ｂ）は微細であることから視認しにくい状況にある。
【００５１】
図９に示す画像形成体（４ｂ）を第１の孔群（２ａ）を形成した面から透過光で観察した場合の図を図１１に示し、第２の孔群（２ｂ）を形成した面から透過光で観察した場合の図を図１２に示す。図１１に示すように、第１の孔群（２ａ）を形成した面から透過光で観察した場合、第１の孔群（２ａ）と第２の孔群（２ｂ）は徐々にずれているため、画像形成体（４ｂ）に対して垂直方向から観察した場合に、例えば、第１の孔群のある孔と第２の孔群のある孔がほぼ重なり合っている領域、一部が重なり合っている領域、場合によっては重なり合っていない領域等に分かれ、第１の孔（３ａ）と第２の孔（３ｂ）が重なり合っている領域は透過光量が多く、第１の孔（３ａ）と第２の孔（３ｂ）が重ならない領域は透過光量が少なく視認されるため、透過光量の多い領域で合成された第２の孔（３ｂ）の形状（ハート形状）が第１の孔群（２ａ）から拡大して立体的に視認される。この場合、不透明基材よりも奥まって拡大して視認される。
【００５２】
図１２に示すように、第１の孔群（２ａ）を形成した面から透過光で観察した場合、第１の孔群（２ａ）と第２の孔群（２ｂ）は徐々にずれているため、画像形成体（４ｂ）に対して垂直方向から観察した場合に、例えば、第１の孔群のある孔と第２の孔群のある孔がほぼ重なり合っている領域、一部が重なり合っている領域、場合によっては重なり合っていない領域等に分かれ、第１の孔（３ａ）と第２の孔（３ｂ）が重なり合っている領域は透過光量が多く、第１の孔（３ａ）と第２の孔（３ｂ）が重ならない領域は透過光量が少なく視認されるため、透過光量の多い領域で合成された第２の孔（３ｂ）の形状（ハート形状）が第１の孔群（２ａ）から拡大して立体的に視認される。この場合、不透明基材よりも手前に拡大して視認される。
【００５３】
図１１及び図１２は、第１の孔（３ａ）の間隔が第２の孔（３ｂ）の間隔よりも広いが、第１の孔（３ａ）の間隔が第２の孔（３ｂ）の間隔よりも狭い場合は、基材の一方の面（１ａ）から透過光で観察した場合には、第２の孔（３ｂ）の形状（ハート形状）が第１の孔群（２ａ）から拡大して不透明基材よりも手前に立体的に視認される。基材の他方の面（１ｂ）から透過光で観察した場合には、第２の孔（３ｂ）の形状（ハート形状）が第１の孔群（２ａ）から拡大して不透明基材よりも奥まって立体的に視認される。
【００５４】
第１の孔（３ａ）の間隔（ｓ１）と第２の孔（３ｂ）の間隔（ｓ３）の違いと、第１の孔（３ａ）の間隔（ｓ２）と第２の孔（３ｂ）の間隔（ｓ４）の違いは、上記記載の第２の孔（３ｂ）が拡大される拡大率に繋がる。拡大率の式は上記記載の数式２である。
【００５５】
不透明層に光の反射を有するアルミ等を用いた場合、つまり、ＣＤ等の基材がこれにあたる。ＣＤ等を用いて形成した画像形成体は、透過光量の差によって潜像画像が視認される原理のみならず、アルミ等の光の反射の影響が強いため、潜像画像の奥行き感が深くなる。また、潜像の出現は、図１３に示すように透明層を有する他方の面から観察する必要がある。図１３はアルミ層に第１の孔群（２ａ）を形成し、アルミが形成されていない透明層に第２の孔群（２ｂ）を形成している画像形成体を、透明層の面から透過光で観察した場合の図である。
【００５６】
上記記載の本発明の画像形成体（４ａ、４ｂ）を透過光で観察した場合に、第２の孔（３ｂ）の形状が第１の孔群（２ａ）から基材よりも手前又は奥まって立体的に視認されることは、第１の孔（３ａ）と第２の孔（３ｂ）によって視認可能な透過光の方向が制限されるといったパララックスバリア効果により発現される。ここで言う、パララックスバリアとは、バリア開口部を通過する視線角度が左右の眼によって異なる現象を利用し、例えば、二枚の画像を縦に細長く切断し、細長く切断した二枚の画像を交互に並べ、並べた画像の前に、開口部を有するバリアを配置することによって画像が立体的に視認される現象である。
【００５７】
また、本発明は、第１の孔群の第１の方向（ｘ１）と第１の孔群の第２の方向（ｙ１）の関係、及び第２の孔群の第１の方向（ｘ２）と第２の孔群の第２の方向（ｙ２）の関係が、交差する関係、つまり、平行以外の互いに直交する関係又は互いに直交しない関係にあれば良い。図１４（ａ）は、直交する場合を示し、図１４（ｂ）は、直交しない場合を示す。このようにして第１の孔群、第２の孔群を格子状に配列する。
【００５８】
画像形成体（４ａ、４ｂ）以外の例を示す。第１の孔群又は第２の孔群において、図１４（ａ）は第２の方向の孔の間隔が一定で、第１の方向の孔の間隔が一定ではなく周期をもっている。図１４（ｂ）は第１の方向の孔の間隔が一定で、第２の方向の孔の間隔が一定ではなく周期をもっている。図１４（ｃ）は第１の方向及び第１の方向の孔の間隔が一定ではなく周期をもっている。図１４（ｄ）は第１の方向及び第２の方向の孔はランダムに配列されている。まず、図１４（ａ）乃至（ｄ）のそれぞれの孔群を最小単位とする。この周期等の繰り返し最小単位を基準にして第１の孔群又は第２の孔群が形成される。図１４（ｂ）を例にすると図１６に示すように最小単位（Z１）の長さを第1の方向に４倍の距離だけ平行移動させ、最小単位（Z２）の長さを第２の方向に２倍の距離だけ平行移動させ、複数の繰り返し最小単位を連続的に配置する。図１６では、最小単位（Z１）の長さを第1の方向に４倍の距離だけ平行移動させ、最小単位（Z２）の長さを第２の方向に２倍の距離だけ平行移動させているが、第１の方向、第２の方向に整数倍の距離だけ平行移動すればよい。例えば、図１６の斜線で示している領域は最小単位（Z１）の長さを第1の方向に３倍の距離だけ平行移動させ、最小単位（Z２）の長さを第１の方向に２倍の距離だけ平行移動して形成している。このようにして複数個の最小単位を形成し第１の孔群又は第２の孔群を得る。図１６は複数個の最小単位を形成して第１の孔群又は第２の孔群を形成しているが、最小単位を単独（１個）として用いて第１の孔群又は第２の孔群を形成しても良い。
【００５９】
この場合の第１の孔群又は第２の孔群の各基材に設ける面については画像形成体（４ａ、４ｂ）と同様である。また、基材の一方の面に形成する第１の孔群と、基材の他方の面に形成する第２の孔群の関係は、第２の孔群の第１の方向の繰り返し最小単位長さは、第１の孔群の第１の方向の繰り返しの最小単位長さに１以上の非整数を乗ずる、あるいは第２の孔群の第１の方向の繰り返しの最小単位長さは第１の孔群の第１の方向の繰り返しの最小単位長さに１以上の非整数を除することにより構成し、かつ、第２の孔群の第２の方向の繰り返し最小単位長さは、第１の孔群の第２の方向の繰り繰り返しの最小単位長さに１以上の非整数を乗ずる、あるいは第２の孔群の第２の方向の繰り返しの最小単位長さは第１の孔群の第２の方向の繰り返しの最小単位長さに１以上の非整数を除することにより構成する必要がある。
【００６０】
例えば、図１７（ａ）は、第１の孔群であり、図１７（ｂ）は第２の孔群である。第１の孔群の繰り返し最小単位長さを１とした場合に、第２の孔群の繰り返しの最小単位長さを１．２とし、第１の方向及び第２の方向に繰り返し平行移動させ、第１の孔群、第２の孔群を形成している。
【００６１】
図１８（ａ）に第１の方向と第２の方向が同一の間隔で第１の孔群を形成し、第２の孔群に図１７（ａ）で示した孔群を設けて、画像形成体（４ｃ）を作成した場合、透過光で観察した場合に図１９で示すように第２の孔の形状（円）が歪んで楕円形状となり立体的に視認される。これは、第２の孔群の第２の方向の各孔の間隔が周期を持っているためである。
【００６２】
本発明の基材の一方の面又は他方の面に形成する孔が基材に対して直角又は特定の角度で斜めで形成することができる。特定の角度で斜めに形成した場合、複製されにくくなるため偽造防止効果が向上する。特定の角度で斜めの角度で孔を形成すると、透過光で基材を傾けて観察することによって潜像画像が、手前又は奥行き感を有して拡大して視認される。また、本発明の孔が、深さ方向に伴って、孔の直径が同一及び孔の直径が小さくなる形状の少なくとも一つで形成することによって、複製されにくくなるため偽造防止効果が向上する。
【００６３】
上記記載の画像形成体（４ａ、４ｂ、４ｃ）は、好ましくは、第２の孔（３ｂ）の径は第１の孔（３ａ）の径よりも大きいほうが良い。第１の孔（３ａ）の径と第２の孔（３ｂ）の径の比率は、第１の孔（３ａ）の径：第２の孔（３ｂ）の径＝１：５〜１：２０が好ましい。第１の孔（３ａ）の径：第２の孔（３ｂ）の径が１：５以下であると潜像画像が視認し難い状態となり、第１の孔（３ａ）の径：第２の孔（３ｂ）の径が１：２０以上であると第２の孔（３ｂ）が大きくなり過ぎて偽造防止には適さないものとなる。
【００６４】
以上、図２０及び図２１によって画像形成体をまとめると、図２０（ａ）は単層の不透明基材に基材を貫通する第１の孔群と基材を貫通しない第２の孔群によって形成したもので、図２０（ｂ）は、複数層の不透明基材に複数層の不透明基材を貫通する第１の孔群と複数層の不透明基材を貫通しない第２の孔群によって形成したもので、図２０（ｃ）は単層の不透明基材に基材を貫通しない第１の孔群と基材を貫通しない第２の孔群によって形成したもので、第１の孔群と第２の孔群が重なっているところは第１の孔と第２の孔が合成され、不透明基材を貫通する。図２１（ａ）は、不透明層（基材）と透明層（基材）を積層した基材に、不透明層に不透明層を貫通する第１の孔群と透明層に透明層を貫通しない第２の孔群によって形成したもので、図２１（ｂ）は、不透明層（基材）と透明層（基材）を積層した基材に、不透明層に不透明層を貫通する第１の孔群と透明層に透明層を貫通する第２の孔群によって形成したものである。また、本発明は、基材の間に少なくとも一層の中間層を設けても良い。また、中間層が光を透過する基材であり、色彩を有するもの、紫外線等のエネルギー線を照射して発光するものを設けることによって偽造防止効果が向上する。
【実施例】
【００６５】
以下、実施例を用いて本発明を更に詳細に説明するが、本発明の内容は、これらの実施例の範囲に限定されるものではない。
【００６６】
（実施例１）
厚さ約０．１５ｍｍの紙を１枚用意し、この紙に、直径０．１ｍｍの円形の孔Ａを縦横に０．５ｍｍの一定ピッチで格子状にレーザ加工機によって紙を貫通させて孔群を作成した。次に、この紙の片面に、直径０．４ｍｍのハート形の孔Ｂを縦横に０．５２５ｍｍの一定ピッチで格子状にレーザ加工機によって紙を貫通しない孔群を作成し画像形成体を作成した。
【００６７】
この画像形成体を反射光で観察した場合には潜像画像を視認することはできなかった。しかしながら、画像形成体を、孔Ｂを形成していない面から透過光で観察に、孔形状（ハート形）が潜像画像として基材よりも手前に拡大して視認された。また、画像形成体を、孔Ｂを形成した面から透過光で観察に、孔形状（ハート形）が潜像画像として基材よりも奥まって拡大して視認された。
【００６８】
（実施例２）
厚さ約０．１５ｍｍの紙を２枚用意し、１枚目の紙に、直径０．１ｍｍの円形の孔Ａを縦横に０．５ｍｍの一定ピッチで格子状にレーザ加工機によって紙を貫通させて孔群を作成した。次に、２枚目の紙に、直径０．４ｍｍの円形の孔Ｂを縦方向に一定の周期で増減を繰り返し変化するピッチ幅（０．４７５、０．４７７５５、０．４７８・・・・・０．５２５、０．５２２５、０．５２０・・・・・０．４７５）で、横方向に０．５２５ｍｍの一定ピッチで格子状にレーザ加工機によって紙を貫通させて孔群を作成し、１枚目の紙と２枚目の紙を接着剤で接着し、画像形成体を作成した。
【００６９】
この画像形成体を反射光で観察した場合には潜像画像を視認することはできなかった。しかしながら、画像形成体を、孔Ｂを形成していない面から透過光で観察に、孔形状（円形）が歪んだ潜像画像（ここでは楕円）として基材よりも手前に拡大して視認された。また、画像形成体を、孔Ｂを形成した面から透過光で観察に、孔形状（円形）が歪んだ潜像画像（ここでは楕円）として基材よりも奥まって拡大して視認された。
【００７０】
（実施例３）
市販されているＣＤ−Ｒのアルミ蒸着されている面に直径０．１ｍｍの円形の孔Ａを縦横に０．５ｍｍの一定ピッチで格子状にレーザ加工機によってＣＤ−Ｒ基材を貫通させることなく、アルミ蒸着層を貫通させて孔群を作成した。次に、ＣＤ−Ｒのもう一方の面に、直径０．４ｍｍのハート形の孔Ｂを縦横に０．５２５ｍｍの一定ピッチで格子状にレーザ加工機によって基材を貫通しない孔群を作成し画像形成体を作成した。
【００７１】
この画像形成体を孔Ｂを形成した面から透過光で観察した場合には、孔Ｂ（ハート形）が潜像画像として拡大して視認された。
【００７２】
以上、本発明の実施例に基づいて説明したが、本発明はこの実施例に限定されるものではなく、特許請求の範囲記載における技術的思想の範囲内であれば、その他のいろいろな実施の形態が考えられる。
【図面の簡単な説明】
【００７３】
【図１】不透明基材の一方の面（１ａ）に第１の孔群（２ａ）を示す図及びそのＡ−Ａ’断面図を示す図である。
【図２】不透明基材の他方の面（１ｂ）に第２の孔群（２ｂ）を示す図及びそのＡ−Ａ’断面図を示す図である。
【図３】本発明の画像形成体（４ａ）を示す図及びそのＡ−Ａ’断面図を示す図である。
【図４】本発明の画像形成体（４ａ）を第１の孔群（２ａ）を形成した面から反射光で観察した場合の図である。
【図５】画像形成体（４ａ）を第１の孔群（２ａ）を形成した面から透過光で観察した場合の図である。
【図６】画像形成体（４ａ）を第２の孔群（２ｂ）を形成した面から透過光で観察した場合の図である。
【図７】基材（１）の一方の面に不透明層（５）を有し、基材の他方の面に透明層（６）を有する基材（１）に、不透明層（５）を有する一方の面（１ａ）に第１の孔群（２ａ）を示す図及びそのＡ−Ａ’断面図を示す図である。
【図８】基材（１）の一方の面に不透明層（５）を有し、基材の他方の面に透明層（６）を有する基材（１）に、透明層（６）を有する他方の面（１ｂ）に第２の孔群（２ｂ）を示す図及びそのＡ−Ａ’断面図を示す図である。
【図９】本発明の画像形成体（４ｂ）を示す図及びそのＡ−Ａ’断面図を示す図である。
【図１０】画像形成体（４ｂ）を第１の孔群（２ａ）を形成した面から反射光で観察した場合の図である。
【図１１】画像形成体（４ｂ）を第１の孔群（２ａ）を形成した面から透過光で観察した場合の図である。
【図１２】画像形成体（４ｂ）を第２の孔群（２ｂ）を形成した面から透過光で観察した場合の図である。
【図１３】アルミ層に第１の孔群（２ａ）を形成し、アルミが形成されていない透明層に第２の孔群（２ｂ）を形成している画像形成体を、透明層の面から透過光で観察した場合の図である。
【図１４】第１の方向と第２の方向の関係を示す図である。
【図１５】画像形成体（４ａ、４ｂ）以外の例であり、孔群を最小単位を示す図である。
【図１６】最小単位（Z１）の長さを第1の方向に整数倍の距離だけ平行移動させ、最小単位（Z２）の長さを第２の方向に整数倍の距離だけ平行移動させている図である。
【図１７】画像形成体（４ａ、４ｂ）以外の例であり、第１の孔群と第２の孔群を示す図である。
【図１８】第１の方向と第２の方向が同一の間隔で第１の孔群を形成し、第２の孔群に図１７（ａ）で示した孔群を設けて画像形成体（４ｃ）を作成した場合の図である。
【図１９】画像形成体（４ｃ）を透過光で観察した場合の図である。
【図２０】本発明の画像形成体をまとめた図である。
【図２１】本発明の画像形成体をまとめた図である。
【符号の説明】
【００７４】
１          基材
１ａ          不透明基材の一方の面
１ｂ          不透明基材の他方の面
２ａ          第１の孔群
２ｂ          第２の孔群
ｘ１、ｘ２          第１の方向
ｙ１、ｙ２          第２の方向
３ｘ１、３ｘ２          第１の方向（ｘ１）に配列される孔
３ｙ１、３ｙ２          第２の方向（ｙ１）に配列される孔
ｓ１、ｓ２、ｓ３、ｓ４          間隔
４ａ、４ｂ          画像形成体
５          不透明層
６          透明層
Ｚ１、Ｚ２          最小単位
【図１】
2005225057.tif 000005
【図２】
2005225057.tif 000006
【図３】
2005225057.tif 000007
【図４】
2005225057.tif 000008
【図５】
2005225057.tif 000009
【図６】
2005225057.tif 000010
【図７】
2005225057.tif 000011
【図８】
2005225057.tif 000012
【図９】
2005225057.tif 000013
【図１０】
2005225057.tif 000014
【図１１】
2005225057.tif 000015
【図１２】
2005225057.tif 000016
【図１３】
2005225057.tif 000017
【図１４】
2005225057.tif 000018
【図１５】
2005225057.tif 000019
【図１６】
2005225057.tif 000020
【図１７】
2005225057.tif 000021
【図１８】
2005225057.tif 000022
【図１９】
2005225057.tif 000023
【図２０】
2005225057.tif 000024
【図２１】
2005225057.tif 000025